(57)【要約】【課題】利便性良好にファームウェアを更新する。【解決手段】ＨＤＤレコーダのＭＰＵ１１は、第２設定部１１２によって更新を実行する旨の設定がされている場合には、日時判定部１１５によって送信日時に到達したと判定された場合に、受信部１５を介して更新すべきファームウェアを取得して更新を実行すると共に、第２設定部１１２によって更新を実行しない旨の設定がされている場合には、日時判定部１１５によって送信日時に到達したと判定された場合に、受信部１５を介して更新すべきファームウェアを取得する（更新処理は実行しない）取得更新実行部１１６を備えている。【選択図】図２
2009081682.tif 000002
【特許請求の範囲】
【請求項１】
デジタル方式のテレビジョン放送を受信して、受信された映像情報を記録媒体に格納すると共に、受信された映像情報をモニタに表示可能に構成された放送記録装置であって、
テレビジョン放送を受信する受信手段と、
外部からの操作入力を受け付けて、受け付けられた操作入力に基づいて、該放送記録装置のファームウェアを取得するか否かの設定を行う第１設定手段と、
前記第１設定手段によってファームウェアを取得する旨の設定が行われた場合に、前記受信手段を介して受信されたテレビジョン放送に基づき、該放送記録装置の更新すべきファームウェアが送信されるか否かを判定する送信判定手段と、
前記送信判定手段によって更新すべきファームウェアが送信されると判定された場合に、前記受信手段を介して、更新すべきファームウェアが送信される日時情報である送信日時情報を取得する日時取得手段と、
前記第１設定手段によってファームウェアを取得する旨の設定が行われた場合に、外部からの操作入力を受け付けて、受け付けられた操作入力に基づいて、ファームウェアの更新を実行するか否かを設定する第２設定手段と、
前記第１設定手段によって取得する旨の設定がされている場合に、前記日時取得手段によって取得された送信日時に到達したか否かを判定する日時判定手段と、
前記第２設定手段によって更新を実行する旨の設定がされている場合には、前記日時判定手段によって送信日時に到達したと判定された場合に、前記受信手段を介して更新すべきファームウェアを取得して更新を実行すると共に、前記第２設定手段によって更新を実行しない旨の設定がされている場合には、前記日時判定手段によって送信日時に到達したと判定された場合に、前記受信手段を介して更新すべきファームウェアを取得する取得更新実行手段と、
を備えることを特徴とする放送記録装置。
【請求項２】
前記第２設定手段によって更新を実行しない旨の設定がされており、前記取得更新実行手段によって更新すべきファームウェアが取得された場合に、前記モニタに、ファームウェアの更新処理を促す旨の情報を表示する表示制御手段を備えることを特徴とする請求項１に記載の放送記録装置。
【請求項３】
前記送信判定手段は、前記受信手段を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ情報及び機器モデルＩＤ情報に基づいて判定することを特徴とする請求項１又は請求項２に記載の放送記録装置。
【請求項４】
前記日時取得手段は、前記送信日時情報として、前記受信手段を介して受信されたテレビジョン放送のＳＤＴＴに含まれる開始日時（ｓｔａｒｔ＿ｔｉｍｅ）情報を取得することを特徴とする請求項１〜請求項３のいずれかに記載の放送記録装置。
【発明の詳細な説明】
【技術分野】
【０００１】
本発明は、デジタル方式のテレビジョン放送を受信して、受信された映像情報を記録媒体に格納する放送記録装置に関する。
【背景技術】
【０００２】
従来、テレビジョン放送を受信して、受信された映像情報を格納するＨＤＤ（Ｈａｒｄ  Ｄｉｓｋ  Ｄｒｉｖｅ）レコーダ等の放送記録装置において、該放送記録装置の動作を制御するファームウェアを、放送波を介して取得して更新する技術が知られている。
【０００３】
ファームウェアを更新する技術としては、例えば、ファームウェア配信サーバにファームウェアを保持しておき、電子機器からの問い合わせ時や新たなファームウェアが追加された時などの所定のタイミングで、ファームウェア配信サーバから電子機器へと、ファームウェア配信サーバが保持しているファームウェアのバージョンを通知し、電子機器は、この通知に基づいて自己が有しているファームウェアよりも新しいバージョンのファームウェアをファームウェア配信サーバが有していることを確認したならば、このファームウェアをファームウェア配信サーバからダウンロードし、インストールするファームウェアアップデートシステムが開示されている（特許文献１参照）。
【０００４】
また、上記ファームウェアアップデートシステムにおいては、電子機器毎に自動アップデートを許可するか否かのユーザ設定を受け付けるようにし、許可設定されている場合にのみファームウェアの自動アップデートを行うこととしているので、個別事情によりファームウェアのアップデートを自動では行うべきではない電子機器が存在する場合に対応することが可能である。
【特許文献１】特開２００３−５９９１号公報
【発明の開示】
【発明が解決しようとする課題】
【０００５】
しかしながら、上記ファームウェアアップデートシステムにおいては、自動アップデートを許可する旨の設定されている場合にのみファームウェアの自動アップデートを行うこととしているが、ＨＤＤレコーダ等の従来の放送記録装置においては、アップデートを行うことによって何らかの原因で（例えば、録画予約情報が消去される等の原因で）、録画予約がされている番組が録画されない等の不具合が発生する虞がある。
【０００６】
本発明は、上記課題に鑑みてなされたものであって、利便性良好にファームウェアを更新することの可能な放送記録装置を提供することを目的としている。
【課題を解決するための手段】
【０００７】
上記目的を達成するために請求項１に記載の放送記録装置は、デジタル方式のテレビジョン放送を受信して、受信された映像情報を記録媒体に格納すると共に、受信された映像情報をモニタに表示可能に構成された放送記録装置であって、テレビジョン放送を受信する受信手段と、外部からの操作入力を受け付けて、受け付けられた操作入力に基づいて、該放送記録装置のファームウェアを取得するか否かの設定を行う第１設定手段と、前記第１設定手段によってファームウェアを取得する旨の設定が行われた場合に、前記受信手段を介して受信されたテレビジョン放送に基づき、該放送記録装置の更新すべきファームウェアが送信されるか否かを判定する送信判定手段と、前記送信判定手段によって更新すべきファームウェアが送信されると判定された場合に、前記受信手段を介して、更新すべきファームウェアが送信される日時情報である送信日時情報を取得する日時取得手段と、前記第１設定手段によってファームウェアを取得する旨の設定が行われた場合に、外部からの操作入力を受け付けて、受け付けられた操作入力に基づいて、ファームウェアの更新を実行するか否かを設定する第２設定手段と、前記第１設定手段によって取得する旨の設定がされている場合に、前記日時取得手段によって取得された送信日時に到達したか否かを判定する日時判定手段と、前記第２設定手段によって更新を実行する旨の設定がされている場合には、前記日時判定手段によって送信日時に到達したと判定された場合に、前記受信手段を介して更新すべきファームウェアを取得して更新を実行すると共に、前記第２設定手段によって更新を実行しない旨の設定がされている場合には、前記日時判定手段によって送信日時に到達したと判定された場合に、前記受信手段を介して更新すべきファームウェアを取得する取得更新実行手段と、を備えることを特徴としている。
【０００８】
請求項２に記載の放送記録装置は、請求項１に記載の放送記録装置であって、前記第２設定手段によって更新を実行しない旨の設定がされており、前記取得更新実行手段によって更新すべきファームウェアが取得された場合に、前記モニタに、ファームウェアの更新処理を促す旨の情報を表示する表示制御手段を備えることを特徴としている。
【０００９】
請求項３に記載の放送記録装置は、請求項１又は請求項２に記載の放送記録装置であって、前記送信判定手段が、前記受信手段を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ情報及び機器モデルＩＤ情報に基づいて判定することを特徴としている。
【００１０】
請求項４に記載の放送記録装置は、請求項１〜請求項３のいずれかに記載の放送記録装置であって、前記日時取得手段が、前記送信日時情報として、前記受信手段を介して受信されたテレビジョン放送のＳＤＴＴに含まれる開始日時（ｓｔａｒｔ＿ｔｉｍｅ）情報を取得することを特徴としている。
【発明の効果】
【００１１】
請求項１に記載の放送記録装置によれば、外部からの操作入力が受け付けられて、受け付けられた操作入力に基づいて、ファームウェアを取得するか否かの設定が行われ、ファームウェアを取得する旨の設定が行われた場合に、受信手段を介して受信されたテレビジョン放送に基づき、更新すべきファームウェアが送信されるか否かが判定され、更新すべきファームウェアが送信されると判定された場合に、受信手段を介して、更新すべきファームウェアが送信される日時情報である送信日時情報が取得される。また、ファームウェアを取得する旨の設定が行われた場合に、外部からの操作入力が受け付けられて、受け付けられた操作入力に基づいて、ファームウェアの更新を実行するか否かが設定されると共に、取得された送信日時に到達したか否かが判定される。そして、更新を実行する旨の設定がされている場合には、送信日時に到達したと判定された場合に、受信手段を介して更新すべきファームウェアが取得されて更新が実行されると共に、更新を実行しない旨の設定がされている場合には、送信日時に到達したと判定された場合に、受信手段を介して更新すべきファームウェアが取得されるため、利便性良好にファームウェアを更新することができる。
【００１２】
すなわち、ファームウェアを取得する旨の設定がされ、且つ、更新を実行しない旨の設定がされている場合には、送信日時に到達したと判定された場合に、受信手段を介して更新すべきファームウェアが取得され、更新は実行されないため、ユーザが更新処理を実行するタイミングを自ら設定することを所望する場合には、ファームウェアを取得する旨の設定を行うと共に更新を実行しない旨の設定を行うことによって、更新すべきファームウェアが取得され、更新は実行されないので、利便性良好にファームウェアを更新することができるのである。
【００１３】
つまり、ユーザが更新処理を実行するタイミングを自ら設定することを所望する場合には、更新すべきファームウェアを早期に取得することができ（＝更新すべきファームウェアの送信日時において遅滞なく取得することができ）、且つ、取得されたファームウェアを所望する時点で更新を実行させることができるため、利便性良好にファームウェアを更新することができるのである。
【００１４】
請求項２に記載の放送記録装置によれば、更新を実行しない旨の設定がされており、更新すべきファームウェアが取得された場合に、モニタに、ファームウェアの更新処理を促す旨の情報が表示されるため、更に利便性良好にファームウェアを更新することができる。
【００１５】
すなわち、更新を実行しない旨の設定がされており、更新すべきファームウェアが取得された場合に、モニタに、ファームウェアの更新処理を促す旨の情報が表示されるため、ユーザは、早期に更新の実行を所望する場合には、更新処理を促す旨の情報が表示された時点で（＝更新すべきファームウェアが取得された時点で）、更新を実行することができるので、更に利便性良好にファームウェアを更新することができるのである。
【００１６】
請求項３に記載の放送記録装置によれば、受信手段を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ情報及び機器モデルＩＤ情報に基づいて、更新すべきファームウェアが送信されるか否かが判定されるため、更新すべきファームウェアが送信されるか否かを簡素な構成で正確に判定することができる。
【００１７】
請求項４に記載の放送記録装置によれば、送信日時情報として、受信手段を介して受信されたテレビジョン放送のＳＤＴＴに含まれる開始日時（ｓｔａｒｔ＿ｔｉｍｅ）情報が取得されるため、簡素な構成で正確な送信日時情報（＝更新すべきファームウェアが送信される日時情報）を取得することができる。
【発明を実施するための最良の形態】
【００１８】
以下に本発明の実施形態を、図面を参照しながら説明する。図１は、本発明に係るＨＤＤレコーダの構成の一例を示すブロック図である。ＨＤＤレコーダ１（放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１９】
ＨＤＤレコーダ１は、リモコン３を介してユーザからの操作入力を受け付けて、受け付けた操作入力に基づいて、デジタル方式のテレビジョン放送を受信し、受信した映像情報、音声情報を含む番組情報をＨＤＤ１９に格納するものである。また、ＨＤＤレコーダ１は、リモコン３を介してユーザからの操作入力を受け付けて、受け付けた操作入力に基づいて、ＨＤＤ１９に格納された番組情報を読み出して再生し、出力装置２に対して映像及び音声を出力するものである。
【００２０】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００２１】
リモコン３（第１設定手段の一部、第２設定手段の一部に相当する）は、ユーザからの操作入力を受け付けて、受け付けられた操作入力に対応する赤外線信号を生成して、ＨＤＤレコーダ１に対して出力するものである。
【００２２】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２３】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等からなり、ＭＰＵ１１を動作させる制御プログラム及びファームウェア等を格納するものである。
【００２４】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、デジタル方式のテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２５】
アンテナ部１５１は、デジタル方式のテレビジョン放送波を受信するものである。チューナ部１５２は、アンテナ部１５１で受信されたデジタル方式のテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力装置２のスピーカ２２に対して出力するものである。
【００２７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号を出力装置２のディスプレイ２１に対して出力するものである。
【００２９】
ＨＤＤ（Ｈａｒｄ  Ｄｉｓｋ  Ｄｒｉｖｅ）１９（記録媒体に相当する）は、ＭＰＵ１１からの指示に従って、受信部１５を介して受信された映像情報、音声情報等の種々の情報を格納すると共に、ＭＰＵ１１からの指示に従って、格納された映像情報、音声情報等の種々の情報を出力するものである。
【００３０】
次に、ＨＤＤレコーダ１が放送を受信する場合の動作について説明する。まず、送信されてきたデジタル放送波がアンテナ部１５１で受信される。操作部１４（又は、リモコン３）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３１】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３２】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３３】
図２は、本発明に係るＨＤＤレコーダ１における主要部の構成の一例を示すブロック図である。ＭＰＵ１１は、機能的に、第１設定部１１１、第２設定部１１２、送信判定部１１３、日時取得部１１４、日時判定部１１５、取得更新実行部１１６、及び、表示制御部１１７を備え、ＲＯＭ１３は、機能的に、ファームウェア記憶部１３１を備えている。
【００３４】
ここでは、ＭＰＵ１１が、ＲＯＭ１３等に予め格納された制御プログラムを読み出して実行することにより、第１設定部１１１、第２設定部１１２、送信判定部１１３、日時取得部１１４、日時判定部１１５、取得更新実行部１１６、表示制御部１１７等の機能部として機能すると共に、ＲＯＭ１３を、ファームウェア記憶部１３１等の機能部として機能させるものである。
【００３５】
また、ＲＯＭ１３、図１に示すＲＡＭ１２に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３６】
ファームウェア記憶部１３１は、取得更新実行部１１６によって取得されたファームウェアを格納するものである。ファームウェア記憶部１３１に格納されたファームウェアは、取得更新実行部１１６によって読み出されて、更新されるものである。
【００３７】
第１設定部１１１（第１設定手段の一部に相当する）は、リモコン３を介して、ユーザからの操作入力を受け付けて、受け付けられた操作入力に基づいて、ＨＤＤレコーダ１のファームウェアを取得するか否かの設定を行うものである。
【００３８】
第２設定部１１２（第２設定手段の一部に相当する）は、第１設定部１１１によってファームウェアを取得する旨の設定が行われた場合に、リモコン３を介して、ユーザからの操作入力を受け付けて、受け付けられた操作入力に基づいて、ファームウェアの更新を実行するか否かを設定するものである。
【００３９】
送信判定部１１３（送信判定手段に相当する）は、第１設定部１１１によってファームウェアを取得する旨の設定が行われた場合に、受信部１５を介して受信されたテレビジョン放送に基づき、ＨＤＤレコーダ１の更新すべきファームウェアが送信されるか否かを判定するものである。
【００４０】
具体的には、送信判定部１１３は、受信部１５を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ（ｍａｋｅｒ＿ｉｄ）情報及び機器モデルＩＤ（ｍｏｄｅｌ＿ｉｄ）情報に基づいて、ＨＤＤレコーダ１の更新すべきファームウェアが送信されるか否かを判定するものである。
【００４１】
すなわち、送信判定部１１３は、受信部１５を介して受信されたテレビジョン放送のＳＤＴＴに含まれる製造メーカＩＤ情報及び機器モデルＩＤ情報が、それぞれ、ＨＤＤレコーダ１の製造メーカＩＤ情報及び機器モデルＩＤ情報と一致する場合に、ＨＤＤレコーダ１の更新すべきファームウェアが送信されると判定するものである。
【００４２】
日時取得部１１４（日時取得手段に相当する）は、送信判定部１１３によって更新すべきファームウェアが送信されると判定された場合に、受信部１５を介して、更新すべきファームウェアが送信される日時情報である送信日時情報を取得するものである。
【００４３】
具体的には、日時取得部１１４は、送信日時情報として、受信部１５を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる開始日時（ｓｔａｒｔ＿ｔｉｍｅ）情報を取得するものである。
【００４４】
日時判定部１１５（日時判定手段に相当する）は、第１設定部１１１によってファームウェアを取得する旨の設定がされている場合に、日時取得部１１４によって取得された送信日時に到達したか否かを判定するものである。
【００４５】
取得更新実行部１１６（取得更新実行手段に相当する）は、第２設定部１１２によって更新を実行する旨の設定がされている場合には、日時判定部１１５によって送信日時に到達したと判定された場合に、受信部１５を介して更新すべきファームウェアを取得して、更新を実行するものである。また、取得更新実行部１１６は、第２設定部１１２によって更新を実行しない旨の設定がされている場合には、日時判定部１１５によって送信日時に到達したと判定された場合に、受信部１５を介して更新すべきファームウェアを取得し、ファームウェア記憶部１３１に記録する（＝書き込む）ものである。
【００４６】
すなわち、取得更新実行部１１６は、下記の処理を行うものである。
（ＣＡＳＥ１）
第１設定部１１１によってファームウェアを取得しない旨の設定がされている場合には、一切の処理を実行しない。
（ＣＡＳＥ２）
第１設定部１１１によってファームウェアを取得する旨の設定がされ、第２設定部１１２によって更新を実行しない旨の設定がされている場合には、日時判定部１１５によって送信日時に到達したと判定された場合に、受信部１５を介して更新すべきファームウェアの取得処理、及び、ファームウェア記憶部１３１への記録処理を実行する（＝更新処理は実行しない）。
（ＣＡＳＥ３）
第１設定部１１１によってファームウェアを取得する旨の設定がされ、第２設定部１１２によって更新を実行する旨の設定がされている場合には、日時判定部１１５によって送信日時に到達したと判定された場合に、受信部１５を介して更新すべきファームウェアを取得し更新する。
【００４７】
更に、取得更新実行部１１６は、表示制御部１１７から更新処理を実行する旨の指示情報が受け付けられた場合に、ファームウェア記憶部１３１に格納されたファームウェアを読み出して、更新処理を実行するものである。
【００４８】
表示制御部１１７（表示制御手段に相当する）は、第２設定部１１２によって更新を実行しない旨の設定がされており、取得更新実行部１１６によって更新すべきファームウェアが取得された場合に、出力装置２のディスプレイ２１に、ファームウェアの更新処理を促す旨の情報を表示する（＝図３（ｂ）に更新実行画面４１０を表示する）ものである。
【００４９】
また、表示制御部１１７は、リモコン３を介してユーザからの表示制御部１１７によって表示される更新実行画面４１０（図３（ｂ）参照）の更新実行ボタン４１２が押下された場合に、取得更新実行部１１６に対して更新処理を実行する旨の指示情報を出力するものである。
【００５０】
図３（ａ）は、第１設定部１１１及び第２設定部１１２によってディスプレイ２１に表示される更新条件設定画面の一例を示す画面図である。更新条件設定画面４００には、画面略中央部に、更新条件表示部４０１が表示され、画面下部に、設定ボタン４０３及びキャンセルボタン４０４が表示されている。
【００５１】
更新条件表示部４０１は、ファームウェアを更新する条件を選択可能に表示するものであって、上側から順に、第１条件表示部４０１ａ、第２条件表示部４０１ｂ、及び、第３条件表示部４０１ｃが表示されている。第１条件表示部４０１ａは、更新しない旨の設定を行う場合（＝上記（ＣＡＳＥ１）の処理を実行する場合）に選択されるものである。第２条件表示部４０１ｂは、ファームウェア取得するが更新を実行しない旨の設定を行う場合（＝上記（ＣＡＳＥ２）の処理を実行する場合）に選択されるものである。第３条件表示部４０１ｃは、更新を実行する旨の設定を行う場合（＝上記（ＣＡＳＥ３）の処理を実行する場合）に選択されるものである。
【００５２】
第２条件表示部４０１ｂには、選択状態であることを示す選択状態表示マーク４０２が表示されている。選択状態表示マーク４０２は、選択状態であることを示すものであって、例えば、リモコン３に配設された上方向キーが押下された場合に、上側（ここでは、第１条件表示部４０１ａ）に移動され、リモコン３に配設された下方向キーが押下された場合に、下側（ここでは、第３条件表示部４０１ｃ）に移動される。すなわち、ユーザは、リモコン３に配設された上方向キー又は下方向キーを押下することによって、第１条件表示部４０１ａ、第２条件表示部４０１ｂ、及び、第３条件表示部４０１ｃの中から所望する条件を選択することができる。
【００５３】
設定ボタン４０３は、選択状態とされている（＝選択状態表示マーク４０２が表示されている）条件を設定する場合に押下されるボタンである。キャンセルボタン４０４は、選択状態をキャンセルする場合に押下されるボタンである。ここで、「押下される」とは、例えば、リモコン３に配設された上方向キー又は下方向キーによって、選択状態とされ、リモコン３に配設された決定キー（又はエンターキー）が押下されることを意味している。
【００５４】
図３（ｂ）は、表示制御部１１７によってディスプレイ２１に表示される更新実行画面の一例を示す画面図である。更新実行画面４１０には、画面略中央部に、ガイダンス表示部４１１が表示され、画面下部に、更新実行ボタン４１２及びキャンセルボタン４１３が表示されている。
【００５５】
ガイダンス表示部４１１は、取得更新実行部１１６によって更新すべきファームウェアが取得された場合に、ファームウェアの更新処理を促す旨の情報を表示するものであって、ここでは、「ファームウェアが取得されました。更新処理を行ってください。」との文字情報を、ＯＳＤ（Ｏｎ−Ｓｃｒｅｅｎ  Ｄｉｓｐｌａｙ）等を介して表示するものである。
【００５６】
更新実行ボタン４１２は、取得されたファームウェアを更新する（＝インストールする）場合に押下されるボタンであって、表示制御部１１７は、更新実行ボタン４１２が押下されたことを受け付けると、取得更新実行部１１６に対して更新処理を実行する旨の指示情報を出力するものである。キャンセルボタン４１３は、更新実行画面４１０を消去する場合に押下されるボタンである。
【００５７】
図４、図５は、ＨＤＤレコーダ１（主にＭＰＵ１１）の動作の一例を示すフローチャートである。なお、ここでは、便宜上、第１設定部１１１及び第２設定部１１２によってファームウェアを更新する条件が予め設定されている場合について説明する。
【００５８】
まず、送信判定部１１３によって、ファームウェアを取得する旨の設定が行われているか否かの判定が行われる（Ｓ１０１）。ファームウェアを更新する旨の設定が行われていない（＝図３（ａ）の第１条件表示部４０１ａが選択されて設定されている）と判定された場合（Ｓ１０１でＮＯ）には、処理が待機状態とされる。ファームウェアを取得する旨の設定が行われている（＝図３（ａ）の第２条件表示部４０１ｂ、又は、第３条件表示部４０１ｃが選択されて設定されている）と判定された場合（Ｓ１０１でＹＥＳ）には、送信判定部１１３によって、ファームウェアが送信されるか否かの判定が行われる（Ｓ１０３）。ファームウェアが送信されないと判定された場合（Ｓ１０３でＮＯ）には、処理がステップＳ１０１に戻され、ステップＳ１０１以降の処理が繰り返し実行される。
【００５９】
ファームウェアが送信されると判定された場合（Ｓ１０３でＹＥＳ）には、送信判定部１１３によって、受信部１５を介してＳＤＴＴに含まれる製造メーカＩＤ情報及び機器モデルＩＤが取得される（Ｓ１０５）。そして、送信判定部１１３によって、ステップＳ１０５において取得された製造メーカＩＤ情報及び機器モデルＩＤが、ＨＤＤレコーダ１の製造メーカＩＤ情報及び機器モデルＩＤ情報と一致するか否かの判定が行われる（Ｓ１０７）。一致しないと判定された場合（Ｓ１０７でＮＯ）には、処理がステップＳ１０１に戻され、ステップＳ１０１以降の処理が繰り返し実行される。
【００６０】
一致すると判定された場合（Ｓ１０７でＮＯ）には、日時取得部１１４によって、受信部１５を介してＳＤＴＴに含まれる開始日時情報が取得される（Ｓ１０９）。そして、日時判定部１１５によって、ステップＳ１０９において取得された開始日時（＝送信日時）に到達したか否かの判定が行われる（Ｓ１１１）。送信日時に到達していないと判定された場合（Ｓ１１１でＮＯ）には、処理が待機状態とされる。送信日時に到達したと判定された場合（Ｓ１１１でＹＥＳ）には、図５に示すように、取得更新実行部１１６によって、受信部１５を介して更新すべきファームウェアが取得される（Ｓ１１３）。
【００６１】
そして、取得更新実行部１１６によって、更新を実行する旨の設定がされているか否かの判定が行われる（Ｓ１１５）。更新を実行する旨の設定がされている（＝図３（ａ）の第３条件表示部４０１ｃが選択されて設定されている）と判定された場合（Ｓ１１５でＹＥＳ）には、処理がステップＳ１２１に進められる。更新を実行しない旨の設定がされている（＝図３（ａ）の第２条件表示部４０１ｂが選択されて設定されている）と判定された場合（Ｓ１１５でＮＯ）には、表示制御部１１７によって、ディスプレイ２１に図３（ａ）に示す更新実行画面４１０が表示される（Ｓ１１７）。
【００６２】
次いで、表示制御部１１７によって、更新実行ボタン４１２が押下されたか否かの判定が行われる（Ｓ１１９）。更新実行ボタン４１２が押下されていないと判定された場合（Ｓ１１９でＮＯ）には、処理が終了される。更新実行ボタン４１２が押下されたと判定された場合（Ｓ１１９でＹＥＳ）、又は、ステップＳ１１５でＹＥＳの場合には、取得更新実行部１１６によって、更新処理が実行され（Ｓ１２１）、処理が終了される。
【００６３】
このようにして、リモコン３を介してユーザからの操作入力が受け付けられて、受け付けられた操作入力に基づいて、ファームウェアを取得するか否かの設定が行われ、ファームウェアを取得する旨の設定が行われた場合に、受信部１５を介して受信されたテレビジョン放送に基づき、更新すべきファームウェアが送信されるか否かが判定され、更新すべきファームウェアが送信されると判定された場合に、受信部１５を介して、更新すべきファームウェアが送信される日時情報である送信日時情報が取得される。また、ファームウェアを取得する旨の設定が行われた場合に、リモコン３を介してユーザからの操作入力が受け付けられて、受け付けられた操作入力に基づいて、ファームウェアの更新を実行するか否かが設定されると共に、取得された送信日時に到達したか否かが判定される。そして、更新を実行する旨の設定がされている（＝図３（ａ）の第３条件表示部４０１ｃが選択されて設定されている）場合には、送信日時に到達したと判定された場合に、受信部１５を介して更新すべきファームウェアが取得されて更新が実行されると共に、更新を実行しない旨の設定がされている（＝図３（ａ）の第２条件表示部４０１ｂが選択されて設定されている）場合には、送信日時に到達したと判定された場合に、受信部１５を介して更新すべきファームウェアが取得されるため、利便性良好にファームウェアを更新することができる。
【００６４】
すなわち、ファームウェアを取得する旨の設定がされ、且つ、更新を実行しない旨の設定がされている場合（＝図３（ａ）の第２条件表示部４０１ｂが選択されて設定されている場合）には、送信日時に到達したと判定された場合に、受信部１５を介して更新すべきファームウェアが取得され、更新は実行されないため、ユーザが更新処理を実行するタイミングを自ら設定することを所望する場合には、ファームウェアを取得する旨の設定を行うと共に更新を実行しない旨の設定を行う（＝図３（ａ）の第２条件表示部４０１ｂを選択して設定する）ことによって、更新すべきファームウェアが取得され、更新は実行されないので、利便性良好にファームウェアを更新することができるのである。
【００６５】
つまり、ユーザが更新処理を実行するタイミングを自ら設定することを所望する場合には、更新すべきファームウェアを早期に取得することができ（＝更新すべきファームウェアの送信日時において遅滞なく取得することができ）、且つ、取得されたファームウェアを所望する時点で更新を実行させることができるため、利便性良好にファームウェアを更新することができるのである。
【００６６】
また、更新を実行しない旨の設定がされており（＝図３（ａ）の第２条件表示部４０１ｂが選択されて設定されており）、更新すべきファームウェアが取得された場合に、ディスプレイ２１に、ファームウェアの更新処理を促す旨の情報（図３（ｂ）に示す更新実行画面４１０）が表示されるため、更に利便性良好にファームウェアを更新することができる。
【００６７】
すなわち、更新を実行しない旨の設定がされており（＝図３（ａ）の第２条件表示部４０１ｂが選択されて設定されており）、更新すべきファームウェアが取得された場合に、ディスプレイ２１に、ファームウェアの更新処理を促す旨の情報（図３（ｂ）に示す更新実行画面４１０）が表示されるため、ユーザは、早期に更新の実行を所望する場合には、更新処理を促す旨の情報が表示された時点で（＝更新すべきファームウェアが取得された時点で）、図３（ｂ）に示す更新実行画面４１０に表示された更新実行ボタン４１２を押下することによって更新を実行することができるので、更に利便性良好にファームウェアを更新することができるのである。
【００６８】
更に、受信部１５を介して受信されたテレビジョン放送のＳＤＴＴに含まれる製造メーカＩＤ情報及び機器モデルＩＤ情報に基づいて、更新すべきファームウェアが送信されるか否かが判定されるため、更新すべきファームウェアが送信されるか否かを簡素な構成で正確に判定することができる。
【００６９】
加えて、送信日時情報として、受信部１５を介して受信されたテレビジョン放送のＳＤＴＴに含まれる開始日時情報が取得されるため、簡素な構成で正確な送信日時情報（＝更新すべきファームウェアが送信される日時情報）を取得することができる。
【００７０】
なお、本発明は、以下の形態にも適用可能である。
（Ａ）本実施形態では、放送記録装置が、デジタル放送を受信してＨＤＤ１９に格納可能に構成されたＨＤＤレコーダ１である場合について説明したが、放送記録装置が、デジタル放送を受信して、受信された映像情報を格納する装置であればよい。例えば、放送記録装置が、ＤＶＤレコーダ、ビデオテープレコーダ等である形態でもよい。
【００７１】
（Ｂ）本実施形態では、ＭＰＵ１１が第１設定部１１１、第２設定部１１２、送信判定部１１３、日時取得部１１４、日時判定部１１５、取得更新実行部１１６、表示制御部１１７等の機能部を備える場合について説明したが、第１設定部１１１、第２設定部１１２、送信判定部１１３、日時取得部１１４、日時判定部１１５、取得更新実行部１１６、及び、表示制御部１１７の内、少なくとも１の機能部が回路等のハードウェアによって実現されている形態でもよい。
【００７２】
（Ｃ）本実施形態では、表示制御部１１７が、図３（ｂ）に示す更新実行画面４１０の更新実行ボタン４１２を介して更新処理を実行する旨の指示情報を出力する場合について説明したが、表示制御部１１７が、この更新実行ボタン４１２に換えて（又は、加えて）、リモコン３を介して設定された所定時間後（又は所定日時）に更新処理を実行する旨の指示情報を出力するボタンを介して更新処理を実行する旨の指示情報を出力する形態でもよい。この場合には、更新処理を実行する日時等を指定することができるので、更に利便性を向上することができる。
【図面の簡単な説明】
【００７３】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、第１設定部及び第２設定部によってディスプレイに表示される更新条件選択画面の一例を示す画面図、及び、表示制御部によってディスプレイに表示される更新実行画面の一例を示す画面図である。
【図４】は、ＨＤＤレコーダ（主にＭＰＵ）の動作の一例を示すフローチャート（前半部）である。
【図５】は、ＨＤＤレコーダ（主にＭＰＵ）の動作の一例を示すフローチャート（後半部）である。
【符号の説明】
【００７４】
１    ＨＤＤレコーダ（放送記録装置）
１１    ＭＰＵ
１１１    第１設定部（第１設定手段の一部）
１１２    第２設定部（第２設定手段の一部）
１１３    送信判定部（送信判定手段）
１１４    日時取得部（日時取得手段）
１１５    日時判定部（日時判定手段）
１１６    取得更新実行部（取得更新実行手段）
１１７    表示制御部（表示制御手段）
１３    ＲＯＭ
１３１    ファームウェア記憶部
１５    受信部（受信手段）
１９    ＨＤＤ（記録媒体）
２    出力装置
２１    ディスプレイ
３    リモコン（第１設定手段の一部、第２設定手段の一部）
【図１】
2009081682.tif 000003
【図２】
2009081682.tif 000004
【図３】
2009081682.tif 000005
【図４】
2009081682.tif 000006
【図５】
2009081682.tif 000007